(57)【特許請求の範囲】
【請求項１】
Ｙ字形状の支持枠の上端それぞれに結ばれた２本のロープが被切断枝を交互にまたぐように掛けられて地上から引っ張られることにより、Ｙ字部分が被切断枝に押し付けられ固定される当該支持枠の下方に設けた軸受に通される回転軸をもち、かつ、前記とは異なる２本のロープによりシーソー運動を与えられるシーソー体に、前記とは異なる軸受が設けられ、その軸受に市販ののこぎり刃保持枠が取り付けられ、そのシーソー運動を往復運動に変え、かつ、第５のロープの張力からのこぎり刃圧が発生するようにした高枝切りのこぎり
【発明の詳細な説明】
【技術分野】
【０００１】
高枝伐採の必要な林業、造園業、家庭庭園などにおいて用いられる手動の切断工具の分野
【背景技術】
【０００２】
数メートルを越す樹木の枝の伐採では、高所作業のためのクレーン車を必要とする大がかりな作業が行われている。街路樹の枝伐採など車が横付けできる位置に樹木が位置する場合にはこれは有効であるが、樹木が庭の片隅にあったり、樹木が傾斜した斜面に位置するような場合にはとび職人に頼るしかない。とび職人がたどり着けないような先端部の枝を伐採したいような場合には、地上から長い竿の先端に取り付けたのこぎりを用いる他ない。しかし、長い竿の重さと先端部ののこぎり部分の重さによりおおむね5m以上の高さの枝の伐採は不可能である。10m程度の高さにある、直径10cm程度の樹木の枝を伐採するために、クレーン車が使えず、とび職人も使えず、また、地面が斜面でハシゴなどの土台となるものも利用できない場合、現時点で利用できる手動の道具は存在しないと言っても過言ではない。本発明は、いわゆる高枝切りはさみや高枝切りのこぎりで対処できる高い位置以上の位置の枝に対応できる手動の道具である。
【先行技術文献】
【特許文献】
【０００３】
【特許文献１】特開2000-236748「ロープによる高枝切りのこぎり」  これは長い竿につけたのこぎりをロープにより駆動させるものであるが、竿の長さで限界がある。
【特許文献２】特開2007-244356「高枝切りのこぎり」  これは長い竿に取り付けたのこぎりを対象物に押し付ける工夫をしたものであるが、竿の長さで限界がある。
【発明の概要】
【発明が解決しようとする課題】
【０００４】
市販されている高枝切りはさみは最大で4mの高さで直径3cmまでの枝を切ることができるが、それ以上の高さで直径10〜20cmの枝を伐採したい。斜面にある樹木を想定し、クレーン車利用など作業位置を上げることができず、とび職人も利用できない場面で、この伐採のために手動の道具を実現する。
【課題を解決するための手段】
【０００５】
切り落とそうとする枝の反対側（根元側）に支持枠1を固定する。この固定枠に取り付けた軸2の周りに動くシーソー体3を付け、このシーソー体3にのこぎり4を保持枠5の自由回転軸6を介して保持する。シーソー体3はその両端に地上から伸ばしたロープ７，７’で操作される。のこぎりを固定・保持した保持枠5には被伐採枝に対してのこぎりの圧力を掛けるための腕があり、その先端にロープ8が地上に向けて伸びている。伐採に際しては、ロープ8で張力を与えながら、ロープ7、7'をそれぞれ両手に持ってシーソー運動を与えてのこぎりを動かす。次に支持枠1を固定する方法を述べる。支持枠1の形状は被伐採枝径に応じて湾曲したあて板の両端に取り付けたロープ9、9'をそれぞれ枝の反対側から回して地上に垂らし、それぞれのロープ端を引っ張ることにより、本道具を当該枝の位置まで持ち上げ、適切な角度でロープを固定する。このロープの固定にあたっては錘が利用できる。また、のこぎりの圧力を与えるロープ8についても適切な重さの錘が利用できる。ロープ8の地上の端に取り付ける錘はシーソー運動に応じて上下するが、のこぎりの保持枠の腕に付ける位置を調節して上下動の振幅を小さくできる（シーソー回転軸の真下位置が良い）。これらの錘の利用により、本道具は原理的に一人で操作できるものである。枝を切り落とした後には、ロープ9、9'の錘をはずして静かに本道具を地上に下ろすことができる。なお、最初にロープ9、9'を高い位置の枝に回し付けるには、２本のロープの先端を釣り糸のように軽くて丈夫な紐に取り付け、その紐を小さい錘を付けて投げ上げる等の方法で回し付けることは容易である。20mを超えるような高さの枝の場合でも軽い紐の先端をそこまで持ち上げる工夫は困難なものではない。図1ではシーソー運動を行わせるロープ7、7'が枝の真下に位置するが、安全上、真下を避けた位置が望ましく、この位置は地上のスペースが許されれば自由に選択できる。
【発明の効果】
【０００６】
被伐採枝の高さは必要なロープの長さを伸ばせばいくらでも上げることが可能で、安全上、切り口が目視のできる高さという点から来る制約があるだけで、従来不可能であった4mを超える高さの枝の伐採も可能となる。
【図面の簡単な説明】
【０００７】
【図１】高枝切りのこぎりが被伐採枝に取り付けられた場面の正面図（左）と立面図（右）である。支持枠1があて板の両端に取り付けた、対抗するロープ9、9'を介して枝に固定されている。この支持枠1に取り付けた軸2の周りに可動するシーソー体3を付け、このシーソー体3に市販ののこぎり4を保持枠5の軸受6を介して支持する。シーソー体3はその両端に地上から伸ばしたロープ７，７’でシーソー運動をするように操作される。のこぎりの保持枠5には下側に腕がありその先端に付けたロープ8により地上から引っ張ってのこぎりに圧力を掛けることができる。伐採はロープ7、7'をそれぞれ地上で両手に持ってシーソー運動を与えて行う。本道具本体は当該枝の位置までロープ9、9'を引っ張りあげることにより持ち上げられ、ロープの固定により固定される。
【図２】応用例として記述した本道具を用いて、高さ10mの位置にある横に伸びた直径約10cmの枝を切断している作業の写真である。
【発明を実施するための形態】
【０００８】
図２に示すように、10mの高さの位置にある直径約10cmの横枝を伐採することに用い、首尾よく伐採することができた。ここでは、市販の刃渡り24cmののこぎりを用いて、長さ２０ｍのロープ２本を支持枠固定用に用い、長さ１０ｍのシーソー運動用のロープ２本とのこぎりに圧力を与えるための10mの細いロープ１本を用いた。支持枠固定のために２本のロープを地上付近で束ねて約10kgの錘を付けた。のこぎりに与える圧力の錘には4kgのものを用いた。数回行った切断の例では、直径の３分の１程度まで切り進んだ状態で自重により枝が折れ、樹皮部分で垂れ下がった枝が切り離せない場合もあった。切断面をきれいに保つには真下側の樹皮部分を始めに切り込んでおくのが良い。これはロープの長さの余裕と地上の足場状態により容易に行えることもあるし、そうでないこともあるが、このことにより本道具の価値が減少することはない。
【実施例】
【０００９】
実施形態で紹介した例は、裏庭の岡の斜面に生えた樹木の枝を伐採したものであるが、クレーン車が利用できない街路樹の剪定作業や斜面に植林された樹木の剪定作業にも活用できるものである。安価に調達できる手動の道具であるため、一般の家庭などでも活用できると考えられる。
【産業上の利用可能性】
【００１０】
林業、造園業、環境整備事業など樹木の剪定が必要とされる場面で、これまでより少ない設備投資で従来困難だと考えられてきた高枝の伐採が可能となる。
【符号の説明】
【００１１】
1 支持枠
2 シーソー軸  
3 シーソー
4 のこぎり本体
5 のこぎり保持枠
6 自由回転軸
7 シーソー運動用ロープ
8 のこぎり圧力用ロープ
9 支持枠固定用ロープ
【図１】
0006313368.tif 000002
【図２】
0006313368.tif 000003